(57)【要約】      （修正有）【課題】葺設作業において、下側の袖瓦に対して上側の袖瓦の葺設位置を規制できるような瓦構造。【解決手段】袖瓦１表面の尻部１４側の袖垂寄りに凸部２を設け、かつ同じく裏面の頭部１２側の袖垂寄りに凹部３を設け、葺設したときに、下側袖瓦の前記凸部２に上側袖瓦の前記凹部３が嵌め込まれて、下側瓦焼本体の袖垂尻側表面１１ｆに対して、上側瓦焼本体の袖垂頭側表面１１ｇが面一になるよう、上側袖瓦の葺設位置を規制できる。これには、前記凸部２の左側側辺２ｆと袖垂尻側表面１１ｆからの距離２ａと、前記凹部３の左側側辺３ｇと袖垂頭側表面１１ｇからの距離３ａとを同一に設定しておけばよい。【選択図】  図１
2006161512.tif 000002
【特許請求の範囲】
【請求項１】
袖瓦の表面尻部側に凸部を設け、かつ同袖瓦の裏面頭部側に凹部を設け、葺設したときに、下側の袖瓦の前記凸部に上側の前記凹部が嵌り合って、下側の袖瓦に対して上側の袖瓦の葺設位置を規制可能としたことを特徴とする袖瓦。
【請求項２】
前記表面尻部側に複数の凸部を設け、かつ同袖瓦の裏面頭部側に、前記複数の凸部に対応して嵌り合う複数の凹部を設けた請求項１に記載の袖瓦。
【請求項３】
葺設したときに、下側の袖瓦の前記凸部に上側の前記凹部が嵌り合って、下側袖瓦と上側袖瓦との側面合せ目が面一に配置されるようにした請求項１または２に記載の袖瓦。
【請求項４】
葺設したときに、下側の袖瓦の前記凸部に上側の前記凹部が嵌り合って、下側袖瓦と上側袖瓦との側面合せ目において、上側袖瓦側に所定の深さの凹段差を設けて配置されるようにした請求項１または２に記載の袖瓦。
【請求項５】
少なくとも尻側袖垂上面に凸条を配設した袖瓦において、この凸条の幅以上の深さの凹段差を設けて上側袖瓦が配置されるようにした請求項４に記載の袖瓦。
【発明の詳細な説明】
【技術分野】
【０００１】
本発明は、改良された袖瓦の構造に関するものであって、特に、整列させて葺設可能な袖瓦に関する。
【背景技術】
【０００２】
わが国において古くから賞用されている粘土瓦は、耐久性や美観面で特に優れた屋根材料であり、その形状には多くのバリエーションがあるが、本発明は、そのうち屋根側端部に並列して葺設される袖瓦に関するものである。この袖瓦の代表的形状を図６によって説明すると、袖瓦１の側面には、頭部１２側に瓦本体とほぼ同厚の棹部１３が設けられ、続いて下向きに伸びた袖垂１１が尻部１４側まで形成されている。
【０００３】
この袖瓦の葺設状態は、図７に示すように、下側の瓦尻部の袖垂後面部１１ｂと袖垂上面部１１ｃとを、上側の瓦の袖垂前面部１１ａと棹部下面部１３ａとに接するよう配置し、順次、下から上にずらしながら重ね合わせて葺き上げられている。このようにして、袖垂１１は軒先から棟まで１列に配列され、屋根妻側面の下地材などを保護するとともに美観上、重要な役割を担っている。
【０００４】
この１列に配列された袖垂１１の部分は、外からの視線に特に目立つ部分であり、上下の袖垂が一様に整列し、側面合わせ目部分が隙間なく密接していることが好ましい美観上、特に重要な点となっている。このために袖瓦は、上下の瓦の側面合わせ目部分に相当する箇所に形状歪が生じないよう、特に管理されて製造されるものの、乾燥収縮や焼成収縮の方向性によって生じる最終形状の歪は、止むを得ないものであった。このため、葺設作業では、側面合わせ目部分をグラインダなどで研削し、形状を修正するという極めて熟練を要する作業が必要となっていた。
【０００５】
このような、袖瓦の袖垂の側面合わせ目に関する問題を解消するため、従来より多くの研究が行なわれており、本出願人も特許文献１に提案するような袖瓦を開発している。
その袖瓦は、要するに、上下に隣接して葺き上げられるとき形成される相互の側面合わせ目において、下側に位置する袖瓦の部分に凸条を形成して、上側に位置する袖瓦の側面合わせ目の部分を側方からに視線から遮る形状にしたものである。（特許文献１を参照）
【特許文献１】特許第３５０２８５４号特許公報（特開２００２−３５６９５７、２００２．１２．１３公開）
【０００６】
この特許文献１の場合では、葺設作業において、グラインダなどの研削作業はほとんど不要となったものの、上下の袖瓦の位置関係が所定の状態になるよう、個々の瓦の配列には、従来の場合と同様な慎重な作業が必要であった。その理由は、不注意な作業では、上側瓦の側面合わせ目部分を下側瓦の凸条に打ち当てて破損するおそれがあるからである。
【発明の開示】
【発明が解決しようとする課題】
【０００７】
本発明は、上記の問題点を解決するためになされたものであり、葺設作業において、下側の袖瓦に対して上側の袖瓦の葺設位置を規制できるような瓦構造を提案する。そして前記した下側瓦の凸条を破損することなく、容易に葺設できる袖瓦を提供するものである。
【課題を解決するための手段】
【０００８】
上記の問題は、袖瓦の表面尻部に凸部を設け、かつ同袖瓦の裏面頭部側に凹部を設け、葺設したときに、下側の袖瓦の前記凸部に上側の前記凹部が嵌り合って、下側の袖瓦に対して上側の袖瓦の葺設位置を規制可能としたことを特徴とする本発明の袖瓦によって、解決することができる。
また、本発明では、前記表面尻部側に複数の凸部を設け、かつ同袖瓦の裏面頭部側に、前記複数の凸部に対応して嵌り合う複数の凹部を設けてもよい。
【０００９】
この本発明は、葺設したときに、下側の袖瓦の前記凸部に上側の前記凹部が嵌り合って、下側袖瓦と上側袖瓦との合せ目が面一に配置されるようにした第１実施形態に好ましく具体化される。また、この発明は、葺設したときに、下側の袖瓦の前記凸部に上側の前記凹部が嵌り合って、下側袖瓦と上側袖瓦との合せ目において、上側袖瓦側に所定の深さの凹段差を設けて配置されるようにした第２実施形態に好ましく具体化される。この第２実施形態の場合、少なくとも尻側袖垂上面に凸条を配設した袖瓦において、この凸条の幅以上の深さの凹段差を設けて上側袖瓦が配置されるようにするのが特に好ましい。
【発明の効果】
【００１０】
本発明の袖瓦はこのように構成されているので、葺設したときに、袖瓦の表面尻部の袖垂寄りの凸部と裏面頭部側の袖垂寄りの凹部とが嵌り合って、相互の位置関係が拘束されるので、上側瓦の葺設位置を所定に位置に規制できる。すなわち、予め設定した上下の瓦の葺設位置に応じて、前記袖瓦の表面尻部の凸部と裏面頭部側の凹部と形成位置を定めておけばよいのである。
【００１１】
かくして、第１実施形態によれば、下側袖瓦の前記凸部に上側袖瓦の前記凹部が嵌り合って、下側袖瓦と上側袖瓦との合せ目が面一に配置されるように、予め、前記凸部と前記凹部の形成位置を定めておくことにより、並列した袖瓦の側面合わせ目はなだらかに連続し、各袖垂が面一に整然と整列するので、特有の外観美を発揮できる。
【００１２】
また、第２実施形態によれば、下側の袖瓦の前記凸部に上側袖瓦の前記凹部が嵌り合って、下側袖瓦と上側袖瓦との側面合わせ目において、上側袖瓦側に所定の深さの凹段差を設けて配置されるよう、予め、前記凸部と前記凹部の形成位置を定めておくことにより、並列した袖瓦の側面合わせ目には、上側に所定深さの凹の段差もって並列するので、側面合わせ目に生じる隙間などの不具合が外からの視線に直接にさらされない、という利点が得られる。また、特に特許文献１記載のような、下側瓦の側面合わせ目に凸条を配設した袖瓦の場合は、葺設作業においてその凸条部分が破損されにくくなるという利点がえられるのである。
【発明を実施するための最良の形態】
【００１３】
次に、本発明の好ましい実施形態について、図１〜５を参照して説明する。
（第１実施形態）
本発明の袖瓦は、先に図６、７を用いて説明した形状構造の袖瓦を対象にしている。すなわち、袖瓦１の側面には、頭部１２側に瓦本体とほぼ同厚の棹部１３が設けられ、続いて下向きに伸びた袖垂１１が尻部１４側まで形成されていて、葺設時には、下側の瓦尻部の袖垂後面部１１ｂと袖垂上面部１１ｃとを、上側の瓦の袖垂前面部１１ａと棹部下面部１３ａとに接するよう配置し、順次、下から上にずらしながら重ね合わせて葺き上げられる瓦である。従って、以下の説明でも図６、７の各符号を援用する。
【００１４】
そして、本発明の特徴は、図１、２に例示するように、袖瓦１の表面の尻部１４側の袖垂寄りに凸部２を設け、かつ同じく裏面の頭部１２側の袖垂寄りに凹部３を設け、葺設したときに、下側袖瓦１ａの前記凸部２に上側袖瓦１ｂの前記凹部３が嵌め合わされて、下側瓦焼本体１ａの袖垂尻側表面１１ｆに対して、上側瓦焼本体１ｂの袖垂頭側表面・１１ｇが面一になるよう、上側袖瓦１ｂの葺設位置を規制できる点にある。
【００１５】
このように葺設位置を規制するには、前記凸部２および凹部３から袖垂１１表面までの距離を予め設定することで可能となる。具体的には、前記凸部２の左側側辺２ｆから袖垂尻側表面１１ｆまでの距離２ａと、前記凹部３の左側側辺３ｇから袖垂頭側表面１１ｇまでの距離３ａとを同一に設定しておけば、下側袖瓦１ａに対して、上側袖瓦１ｂを部分的に重ね合わせる葺設作業において、前記凸部２の左側側辺２ｆと前記凹部３の左側側辺３ｇとを接触させて配置することにより、図２に示すように、下側と上側の袖垂表面１１ｆ、１１ｇを段差がなく一致させることができるのである。
【００１６】
また、上記前記凸部２および凹部３は、袖垂寄りの設けられているが、その理由は、寸法精度を高めるためである。また、前記凸部２と前記凹部３は、左右の幅より前後の長さを長く形成している（尻部と頭部を上下に配置した状態で）が、この形態に限定されることはない。また、前記凸部２と前記凹部３の左右方向のクリアランスを最小限にすることで、葺設時の左右方向のずれを最小限に止めるようにしてもよい。また、その前後方向については、葺設位置を多少前後に調節可能とした方がよい場合があるので、そのクリアランスは最小限に設定する必要はない。
【００１７】
かくして、この第１実施形態によれば、下側袖瓦１ａに対して上側袖瓦１ｂを上方から部分的に重ね合わせるだけの簡単な操作によって、下側の前記凸部２に上側の前記凹部３が嵌り合って、その葺設位置が規制されるので、図２（または図７）に示したように、並列した袖瓦の側面合わせ目はなだらかに連続し、各袖垂１１が面一に整然と整列するので、その外観を特に好ましいものとなる。
【００１８】
（第２実施形態）
この第２実施形態では、図３に示すように、袖瓦１表面の尻部１４側の袖垂寄りに凸部２を設け、かつ同じく裏面の頭部１２側の袖垂寄りに凹部３を設ける点で第１実施形態形態と同様であるが、葺設したときに、図４に示すように、下側袖瓦１ａの前記凸部２に上側袖瓦１ｂの前記凹部３が嵌り合って、下側瓦と上側瓦との側面合わせ目において、上側袖瓦１ｂ側に所定の深さ、例えば、図４における深さｘの凹段差を設けて配置されるようにした点に特徴がある。
【００１９】
このように葺設位置を規制するには、図３に示すように、前記凸部２の左側側辺２ｆと袖垂尻側表面１１ｆからの距離２ａと、前記凹部３の左側側辺３ｇと袖垂頭側表面１１ｇからの距離３ａとに深さｘに相当する差ｄを設けて、前記凹部３を袖垂頭側表面１１ｇの方に寄せておけば、下側袖瓦１ａに対して、上側袖瓦１ｂを部分的に重ね合わせる葺設作業において、前記凸部２の左側側辺２ｆと前記凹部３の左側側辺３ｇとを接触させて配置することにより、図４、５に示すように、下側と上側の袖垂表面１１ｆ、１１ｇの合わせ目において、深さｘの凹段差を上側に設けて整列させることができるのである。
【００２０】
この第２実施形態によれば、前記のように、予め、前記凸部２と前記凹部３の形成位置を定めておくことにより、並列した袖瓦１ａ、１ｂの側面合わせ目には、上側に所定深さｘの凹の段差もって並列するので、側面合わせ目に生じる隙間などの不具合が外からの視線に直接にさらされない、という利点が得られる。
【００２１】
さらに、この第２実施形態の場合、特許文献１に記載されているような、上下に隣接して葺き上げられるとき形成される相互の側面合わせ目において、下側袖瓦１ａの垂袖後端部分に幅ｗを持つ凸条１１ｈ、１１ｉを形成（図３、４、５を参照）して、上側袖瓦１ｂの側面合わせ目の部分（垂袖前端部分１１ｊ、棹部下角部１３ｂ）を側方の視線から遮る形状にした袖瓦に有効に適用される。
【００２２】
この場合は、少なくとも尻側袖垂上面の凸条１１ｈの幅ｗに相当する深さｘの凹段差を設けるようにすれば（図３に示すところの、前記凸部２の左側側辺２ｆと袖垂尻側表面１１ｆからの距離２ａと、前記凹部３の左側側辺３ｇと袖垂頭側表面１１ｇからの距離３ａとの差ｄを、前記幅Ｗ以上に設定する）、葺設作業時に、上側袖瓦１ｂの側面合わせ目の部分が下側袖瓦１ａの凸条１１ｈ、１１ｉに打ち当てられることなく、その内側に納まることになり、外観上の利点の他、凸条１１ｈ、１１ｉ部分が破損されにくくなり、葺設時の破損不良が生じないという利点が得られるのである。
【００２３】
（第３実施形態）
本発明では、図１に示すように、前記表面尻部側の凸部２、裏面頭部側の凹部３の他に、それらから離れた位置（図１では左側に）に、同様な第２凸部４と第２凹部５を設けて、複数の凸部、凹部の組み合せを設けてもよい。なお、先の前記第１、第２実施形態の説明では、この第２凸部４と第２凹部５を無いものとして説明した。
【００２４】
このように、前記表面尻部側に複数の凸部２、第２凸部４を設け、同時に裏面頭部側に、前記複数の凸部（２、４）に対応して嵌り合う複数の凹部３、第２凹部５を設けて、葺設したときに、下側の袖瓦の前記凸部（２、４）に上側の袖瓦の前記凹部（３、５）が嵌り合うように、それぞれの位置関係を定めておけば、下側の袖瓦に対して上側の袖瓦の葺設位置を規制可能となるの言うまでもない。また、この場合にも、先の前記第１または第２実施形態の場合の説明も全く同様に準用できるのである。さらに、この場合には、２箇所で上下の袖瓦の位置関係を拘束するので、上側の袖瓦をより好ましい葺設位置に容易に配置できるという利点が得られる。
【図面の簡単な説明】
【００２５】
【図１】本発明の第１実施形態の袖瓦を示す要部正面図。
【図２】第１実施形態の袖瓦の葺設時における組合せ状態を示す要部斜視図。
【図３】本発明の第２実施形態の袖瓦を示す要部正面図。
【図４】第２実施形態の袖瓦の葺設時における組合せ状態を示す要部斜視図。
【図５】第２実施形態の組合せ状態を説明するための垂直方向組合せ略図（Ａ）、前後方向組合せ略図（Ｂ）。
【図６】袖瓦の基本的形態を示す要部斜視図。
【図７】袖瓦の整列状態を説明するための要部斜視図。
【符号の説明】
【００２６】
１：袖瓦、１ａ：下側袖瓦、１ｂ：上側袖瓦、１１：袖垂、１１ａ：袖垂前面部、１１ｂ：袖垂後面部、１１ｃ：袖垂上面部、１１ｆ：袖垂尻側表面、１１ｇ：袖垂頭側表面、１２：頭部、１３：棹部、１３ａ：棹部下面部、１４：尻部
２：凸部、２ｆ：凸部の左側側辺
３：凹部、３ｇ：凹部の左側側辺
４：第２凸部
５：第２凹部
【図１】
2006161512.tif 000003
【図２】
2006161512.tif 000004
【図３】
2006161512.tif 000005
【図４】
2006161512.tif 000006
【図５】
2006161512.tif 000007
【図６】
2006161512.tif 000008
【図７】
2006161512.tif 000009